(57)【特許請求の範囲】
【請求項１】
第１端コイルと第２端コイルとを備え、前記第１端コイルには第１端点、第２端点、及び第１センタタップを有するシールドトランスと、
前記第１センタタップと中継点との間を電気的に接続するインピーダンス整合回路と、
前記中継点と接地端の間を電気的に接続する高圧容量と、
前記第１センタタップと前記中継点との間を電気的に接続する第１サージ防護機器と、からなり、
サージが前記第１端点又は前記第２端点と前記接地端との間に発生し、且つ前記サージが既定値を超えた場合、前記第１サージ防護機器が導通されて、前記インピーダンス整合回路の電流の流れを規制し、
前記中継点と前記接地端との間を電気的に接続する第２サージ防護機器を備え、サージが前記第１端点又は前記第２端点と前記接地端との間に発生し、且つ前記サージが前記既定値を超えた場合、前記第２サージ防護機器は導通されて、前記高圧容量の電流の流れを規制することを特徴とするコネクタ回路。
【請求項２】
前記第１サージ防護機器はサージ抑制ユニット又は先端放電構造であり、前記先端放電構造は回路板に形成され先端構造を備えた導電層であり、サージが発生した際に先端放電を行うことを特徴とする請求項１に記載のコネクタ回路。
【請求項３】
前記第１サージ防護機器はサージ抑制ユニットと先端放電構造とが並列に接続されて構成され、前記先端放電構造は回路板に形成され先端構造を備えた導電層であり、サージが発生した際に先端放電を行うことを特徴とする請求項１に記載のコネクタ回路。
【請求項４】
前記第２サージ防護機器はサージ抑制ユニット又は先端放電構造であり、前記先端放電構造は回路板に形成され先端構造を備えた導電層であり、サージが発生した際に先端放電を行うことを特徴とする請求項１に記載のコネクタ回路。
【請求項５】
さらに、第３端コイルと第４端コイルとを備え、前記第３端コイルには第３端点、第４端点、及び第２センタタップを有する第２シールドトランスと、
前記第２センタタップと前記中継点との間を電気的に接続する第２インピーダンス整合回路と、
前記第１センタタップと前記第２センタタップとの間を電気的に接続する第３サージ防護機器と、
前記第２センタタップと前記中継点との間を電気的に接続する第４サージ防護機器と、からなることを特徴とする請求項１に記載のコネクタ回路。
【請求項６】
前記第３サージ防護機器と前記第４サージ防護機器とは、それぞれサージ抑制ユニット及び／または先端放電構造であり、前記先端放電構造は回路板に形成され先端構造を備えた導電層であり、サージが発生した際に先端放電を行うことを特徴とする請求項５に記載のコネクタ回路。
【請求項７】
第１端コイルと第２端コイルとを備え、前記第１端コイルには第１端点、第２端点、及び第１センタタップを有するシールドトランスを配置するステップと、
前記第１センタタップと中継点との間にインピーダンス整合回路を電気的に接続するステップと、
前記中継点と接地端の間に高圧容量を電気的に接続するステップと、
第１サージ防護機器を前記第１端コイルの前記第１センタタップと前記中継点との間に設けるステップと、
前記第１端点又は前記第２端点と前記接地端との間のサージが既定値を超えた場合、前記第１サージ防護機器を導通して、インピーダンス整合回路の電流の流れを規制するステップと、
第２サージ防護機器を前記中継点と前記接地端との間に設けるステップと、
前記中継点と前記接地端の間のサージが既定値を超えた場合、前記第２サージ防護機器を導通して、高圧容量の電流の流れを規制するステップと、
からなることを特徴とするサージ防護方法。
【請求項８】
さらに、第３端コイルと第４端コイルとを備え、前記第３端コイルには第３端点、第４端点、及び第２センタタップを有する第２シールドトランスを配置するステップと、
前記第２センタタップと前記中継点との間に第２インピーダンス整合回路を電気的に接続するステップと、
さらに、第３サージ防護機器を前記第１端コイルの前記第１センタタップと前記第３端コイルの前記第２センタタップとの間に設けるステップと、
前記第１センタタップと前記第２センタタップとの間のサージが既定値を超えた場合、前記第３サージ防護機器を導通するステップと、
からなることを特徴とする請求項７に記載のサージ防護方法。
【発明の詳細な説明】
【技術分野】
【０００１】
本発明はコネクタ回路に関し、より詳しくは、サージ防護機器のコネクタ回路及びそのサージ保護方法に関する。
【背景技術】
【０００２】
コネクタは装置と他の外付け装置又は回路とを接続する部材として、使用上、外部の使用環境の影響を受け易い。このため、物理的にも電気的にも、コネクタとその回路は通常、関連検査基準をクリアして、使用面でその耐久性を達成して誤作動の発生率を抑える目的に適うことを期す。例えば、電気的にはいわゆる耐電圧試験（high potential、Hi-pot、又はdielectric withstanding voltage test）があり、方法は正常に作動する電圧より高いテスト電圧をテスト装置の某電気的端点に印加して、ある所定時間継続し、最終的に前記テスト物件が電気的に絶縁してブレークダウンが発生していない状況であれば、検査に合格したとされる。また、静電放電テスト等もあり、何れもテスト装置が異なるタイプの高圧に耐えられるか否かの耐圧テストに該当する。
【０００３】
耐圧テストは装置から露出した電気的端点、特に、コネクタ的一部の内部回路の間の電気的絶縁が良好であることを確保するためである。サージが起こる出所は様々であり、例えば、他の装置や人体と接触して起こる静電放電（electrostatic discharge）、装置が落雷に遭遇、或いは、他の接続されたリモート端末設備の誤作動で装置に高電圧が発生する等である。こうした状況は何れも装置が使用の際に発生し得る状況であり、コネクタの設計面で考慮すべき問題でもある。
【０００４】
図１は、イーサネット（登録商標）、又はＰＯＴＳ（plain old telephone service）システムのコネクタに応用される従来のコネクタ回路１００である。コネクタ回路１００はシールドトランス１１０、インピーダンス整合回路１２０、高圧容量１３０、及び接地端１４０からなる。シールドトランス１１０は第１端コイル１１１と第２端コイル１１２を備え、第１端コイル１１１は第１端点１１３、第２端点１１４、及びセンタタップ１１５を備える。インピーダンス整合回路１２０と高圧容量１３０とはコモンモードノイズ（common-mode EMI）を抑制する整合回路として、即ち、第１端点１１３と第２端点１１４にコモンモードノイズ信号が有る場合、インピーダンス整合回路１２０と高圧容量１３０が良好なノイズ信号の抑制効果をもたらして、回路の正常な作動への影響を低減することができる。また、接地端１４０は通常、装置のハウジングに電気的に接続されて、三穴の電源コードの接地線で地面の接地点に接続される。
【０００５】
図１に示すように、第１端点１１３と第２端点１１４はコネクタと外部回路又は装置とを接続する入出力端点とされ、それに載る信号は通常、完全差動（fully-differential）の交流（alternating current）信号である。第二端コイル１１２は装置の内部回路を接続する。第一端コイル１１１と第二端コイル１１２は直流（direct current）信号に良好な絶縁を施し、磁気誘導の原理によって内部回路と外部回路の間で交流信号を伝送するため、前記回路の構成はコネクタ回路内に幅広くに応用される。
【０００６】
図１に示すように、装置が落雷に遭遇したり、人体と接触して静電気が起きたりといったように、第１端点１１３と接地端１４０の間に瞬間的なサージが発生する場合、図１に示される電流経路１５０のように、前記電圧はコネクタ回路のインピーダンスが最小の経路で電流を導通して、前記高電圧に外部から加わった電荷量を放出する。然しながら、インピーダンス整合回路１２０は高電圧に耐える回路部材の設計にはなっていないため、何回かサージが発生した場合、電気的に開回路となってしまう様に、インピーダンス整合回路１２０が損壊してしまう可能性がある。この場合、再度サージが起きると、前記高電圧による電流経路が最早経路１５０でなく、経路１６０となる可能性がある。即ち、前記高電圧でカップリングが内部回路に発生することにより、内部回路が損壊してしまう。こうして、この装置の耐久性が不良となるのみならず、内部回路内には一般にコストが高い部材が含まれていることから、コスト面での損失をも招くこととなる。
【０００７】
図２は別の公知のコネクタ回路２００である。図１に示されたコネクタ回路１００と比較すると、コネクタ回路２００には２組のサージ抑制ユニット２１０、２２０（transient voltage suppressor、TVS）が増設され、それぞれ第１端点１１３、第２端点１１４と接地端１４０の間を接続する。また、接地端１４０と地面接地点２３０には事実上接続回線の寄生性抵抗器２４０が存在し、これは図で説明する。サージ抑制ユニット２１０、２２０は通常、ｐ型とｎ型半導体とが接続されて形成され、ｐ型とｎ型半導体とのインターフェイスの特性を利用して、部材のブレークダウン電圧（breakdown voltage）のように、その上の逆バイアス電圧が既定値より小さい場合、前記部材は等価高インピーダンスの特性を持ち、また、逆バイアス電圧がブレークダウン電圧より大きい場合、前記部材は等価低インピーダンスとなって、電流を導通する経路となり、前記ブレークダウン電圧は異なる部材によって、設計は数ボルトから数百ボルトとまちまちである。
【先行技術文献】
【特許文献】
【０００８】
【特許文献１】米国特許第７９４４６６８号
【発明の概要】
【発明が解決しようとする課題】
【０００９】
然しながら、図２に示すように、第１端点１１３と地面接地点２３０との間に高電圧が存在する場合、前記高電圧がサージ抑制ユニット２１０のブレークダウン電圧より大きいため、経路２５０のような電流導通経路が形成される。前記高電圧が静電気で起きた場合、反応時間が短いため、サージ抑制ユニット２１０、２２０は良好な静電放電機能を持つ。然しながら、前記高電圧の特性が一定時間存在する高電圧源である場合、例えば、第１端点１１３や第２端点１１４が誤って２２０ボルトの一般の交流電圧に接続されてしまった場合、経路２５０が形成されたことで、接地端１４０に高圧の交流の電気があることから、ユーザが前記装置のハウジングに接触して高圧感電のリスクを招く。
【００１０】
そこで、本発明者は上記の欠点が改善可能と考え、鋭意検討を重ねた結果、合理的設計で上記の課題を効果的に改善する本発明の提案に到った。
【００１１】
本発明は、このような従来の問題に鑑みてなされたものである。上記課題解決のため、本発明は、良好な高圧絶縁の特性を備え、良好なサージ保護機能を提供することを主目的とする。
【課題を解決するための手段】
【００１２】
上述課題を解決し、目的を達成するために、本発明に係るコネクタ回路は、
第一端コイルと第二端コイルを備え、前記第一端コイルには第１端点、第２端点、及び第１センタタップを有するシールドトランスと、
前記第１センタタップと中継点の間を電気的に接続するインピーダンス整合回路と、
前記中継点と接地端の間を電気的に接続する高圧容量と、
前記第１センタタップと前記中継点の間を電気的に接続する第１サージ防護機器と、からなり、サージが前記第１端点又は前記第２端点と前記接地端の間に発生し、且つ前記サージが既定値を超えた場合、前記第１サージ防護機器が導通されて、前記インピーダンス整合回路の電流の流れを規制することを特徴とする。
【００１３】
また、本発明によるコネクタ回路は、前記中継点と前記接地端の間を電気的に接続する第２サージ防護機器を更に備え、サージが前記第１端点又は前記第２端点と前記接地端の間に発生し、且つ前記サージが前記既定値を超えた場合、前記第２サージ防護機器が導通されて、前記高圧容量の電流の流れを規制することを特徴とする。
【００１４】
また、本発明によるコネクタ回路はさらに、
第３端コイルと第４端コイルとを備え、前記第３端コイルには第３端点、第４端点、及び第２センタタップを有する第２シールドトランスと、
前記第２センタタップと前記中継点の間を電気的に接続する第２インピーダンス整合回路と、
前記第１センタタップと前記第２センタタップの間を電気的に接続する第３サージ防護機器と、
前記第２センタタップと前記中継点の間を電気的に接続する第４サージ防護機器と、からなることを特徴とする。
【００１５】
なお、第４サージ防護機器は第１サージ防護機器に類似した機能を発揮する。第１センタタップと第２センタタップとの間に高電圧がある場合、第３サージ防護機器はセンタタップと第２センタタップとの間に電流の導通経路を提供する。
【００１６】
第１サージ防護機器、第２サージ防護機器、第３サージ防護機器、及び第４サージ防護機器はそれぞれサージ抑制ユニット又は/及び先端放電構造でよく、先端放電構造は回路板に形成され先端構造を備えた導電層で、サージが発生した際に先端放電を行う。
【００１７】
本発明によるサージ保護方法は、
第１サージ防護機器を第１端コイルのセンタタップと中継点の間に設けるステップと、
サージが前記コネクタ回路に発生し、前記第１センタタップと前記中継点との間のサージが既定値を超えた場合、前記第１サージ防護機器を導通し、前記コネクタ回路のインピーダンス整合回路の電流を規制するステップと、からなることを特徴とする。
【００１８】
本発明によるサージ保護方法はさらに、
第２サージ防護機器を前記中継点と前記接地端の間に設けるステップと、
サージが前記コネクタ回路に発生して、前記中継点と前記接地端の間のサージが既定値を超えた場合、前記第２サージ防護機器を導通して、高圧容量の電流を規制するステップと、からなることを特徴とする。
【００１９】
本発明によるサージ保護方法はさらに、
第３サージ防護機器を前記第１端コイルの前記第１センタタップと第３端コイルの第２センタタップとの間に設けるステップと、
サージが前記コネクタ回路に発生し、前記第１センタタップと前記第２センタタップとの間のサージが既定値を超えた場合、前記第３サージ防護機器を導通するステップと、からなることを特徴とする。
【発明の効果】
【００２０】
本発明によれば、良好な高圧絶縁の特性を備え、良好なサージ保護機能が提供可能なコネクタ回路が得られる。
【図面の簡単な説明】
【００２１】
【図１】公知のコネクタ回路を示す概略図である。
【図２】公知の他のコネクタ回路を示す概略図である。
【図３】本発明の実施形態１によるコネクタ回路を示す概略図である。
【図４】本発明の実施形態２によるコネクタ回路を示す概略図である。
【図５】本発明の実施形態３によるコネクタ回路を示す概略図である。
【図６】本発明の実施形態４によるコネクタ回路を示す概略図である。
【図７】本発明の実施形態５によるコネクタ回路を示す概略図である。
【図８】本発明の実施形態６によるコネクタ回路を示す概略図である。
【図９】本発明の実施形態７によるコネクタ回路を示す概略図である。
【図１０】本発明の実施形態８によるコネクタ回路を示す概略図である。
【図１１】本発明の実施形態９によるコネクタ回路を示す概略図である。
【発明を実施するための形態】
【００２２】
以下に図面を参照して本発明を実施するための形態について、詳細に説明する。なお、本発明は、以下に説明する実施形態に限定されるものではない。
（実施形態１）
図３は、本発明で開示された第１実施形態のコネクタ回路３００の概略図である。コネクタ回路３００はイーサネット（登録商標）、又はＰＯＴＳ（plain old telephone service）システムのコネクタに応用可能だが、これに限定されない。コネクタ回路３００はシールドトランス１１０、インピーダンス整合回路１２０、高圧容量１３０、接地端１４０、及び第１サージ防護機器３１０からなる。シールドトランス１１０は第１端コイル１１１と第２端コイル１１２とを備え、第１端コイル１１１には第１端点１１３、第２端点１１４、及びセンタタップ１１５とを有する。シールドトランス１１０、インピーダンス整合回路１２０、及び高圧容量１３０の機能は先に述べた通りであるので、ここでは別途詳述しない。
【００２３】
図３に示すように、インピーダンス整合回路１２０はセンタタップ１１５と中継点３０１との間を電気的に接続する。高圧容量１３０は中継点と接地端１４０との間を電気的に接続する。第１サージ防護機器３１０はセンタタップ１１５と中継点３０１との間を電気的に接続する。サージが第１端点１１３又は第２端点１１４と接地端１４０の間に発生し、且つこのサージ（high-voltage surge）が既定値を超えた場合、第１サージ防護機器３１０が導通されて、インピーダンス整合回路１２０の電流の流れを規制する。
【００２４】
例えば、装置が落雷に遭遇したり、又は人体と接触して静電気が起きたりした場合のように、サージが第１端点１１３と接地端１４０との間に発生すると、高圧容量がサージ発生の際にショートと看做され、その上、高電圧は第１サージ防護機器３１０が導通される為に必要な電圧値より大きいことから、図１に示された電流経路３２０を形成して、サージがコネクタ回路３００に印加する余分な電荷を排除する。電流経路３２０により前記経路での大電流がインピーダンス整合回路１２０に流れていないため、インピーダンス整合回路１２０を保護して大電流が導通することで蒙る損害を回避する。また、電流経路３２０で電流が流れる部材は何れも高電圧の設計に応用されるため、コネクタ回路３００がサージ状態にある下での耐用年数が効果的に延長され、即ち、コネクタ回路３００を設けた装置の寿命が延びる。
【００２５】
また、第１端点１１３又は第２端点１１４が２２０ボルトの一般の交流電圧に誤って接続された場合、直流高圧が第１端点１１３又は第２端点１１４と接地端１４０との間に発生すると、コネクタ回路３００は高圧電流経路を生じないため、効果的に絶縁保護され、ユーザが感電にさらされるリスクから免れる。例を挙げて説明すると、第１端点１１３が２２０ボルトの一般の交流電圧に誤って接続されたような場合、直流高圧が第１端点１１３と接地端１４０との間に発生すると、高圧容量１３０が直流でオープン・サーキットと看做され、高圧容量１３０は第１端点１１３と接地端１４０との間で電流経路が形成される場合に必ず経由する部材であるため、第１端点１１３と接地端１４０との間では電流経路が形成され得ず、装置のハウジングはこの直流高圧の下で良好な絶縁効果を有し、ユーザが感電するリスクから免れるよう保護する。
【００２６】
以上のように、第１サージ防護機器３１０とインピーダンス整合回路１２０とが並列に接続された設計で、コネクタ回路３００がサージに遭遇すると、インピーダンス整合回路１２０を保護することで、コネクタ回路３００がサージに置かれた状況での耐久性が効果的に高められる。コネクタ回路３００が直流高圧に遭遇すると、コネクタ回路３００が高圧電流経路を生じず、即ち、装置のハウジングは良好な絶縁効果を有するため、ユーザが感電するリスクから免れるよう保護する。
【００２７】
（実施形態２）
図４は、本発明で開示された第２実施形態のコネクタ回路の概略図である。図４に示すように、サージ抑制ユニット３３０は図３における第１サージ防護機器３１０を実現している。サージ抑制ユニット３３０の機能は前述のとおりである。ここでは、インピーダンス整合回路１２０と並列に接続され、サージが発生した場合、インピーダンス整合回路１２０の電流の流れを規制して、大電流が導通して蒙る損害から免れると共に、直流高圧が発生した場合、装置のハウジングが良好な絶縁効果を有して、ユーザが感電するリスクから免れるよう保護する。
【００２８】
（実施形態３）
図５は、本発明で開示された第３実施形態のコネクタ回路の概略図である。図５に示すように、図３における第１サージ防護機器３１０を先端放電構造３４０で実現している。先端放電構造３４０は導電層であって、回路板に形成されて先端構造を備え、サージが発生した際に先端放電（corona discharge、point discharge）を行う。先端放電現象の発生は、先端状の導体が非常に高い電場を帯びて、その付近の空気がこれによって電離されてイオン状態の分子となって、導電性を有し、導電性を有する空気の範囲が元々空間で隔離されていた２つの導体を導通させるのに十分であり、導体に累積した電荷はこの電離した空気分子で形成された導通経路を流れて、放電作業を行う。
【００２９】
さらに、先端放電構造はコネクタ回路内の既存の回路板の導電層を利用して、特定の先端構造で設計を実現しているため、付加されたサージ抑制ユニット部材と比べて、コスト面で有利である。然しながら、サージ抑制ユニットは好ましい信頼性と素早い反応速度を備えることから、同時に両者の長所を利用してコネクタ回路の設計上でのコストと信頼性を天秤にかけることができる。
【００３０】
（実施形態４）
図６は、本発明で開示された第４実施形態のコネクタ回路の概略図である。図６に示すように、図３における第１サージ防護機器３１０をサージ抑制ユニット３３０と先端放電構造３４０の並列接続で実現している。回路のコスト面でサージ抑制ユニットの部材の使用が許される場合、回路板に一組の先端放電構造を別途付加すると、最低の付加コストで、コネクタ回路がサージ状況にある場合での信頼性と耐久性がさらに強化されることを本実施形態の設計上で考慮した。
【００３１】
因みに、以上３つの実施形態は本発明を例に挙げて説明したものであり、本発明で開示された範囲を限定するものではなく、当業者は応用面での実際のニーズ、設計時のコスト面での考慮、先進技術で導入された改良部材等に応じて、また、本発明で開示された精神に基づき、本発明を実施することができる。
【００３２】
（実施形態５）
図７は、本発明で開示された第５実施形態のコネクタ回路４００の概略図である。図３で示されたコネクタ回路３００と比較すると、コネクタ回路４００に第２サージ防護機器４１０を別途付加し、高圧容量１３０と並列に接続している。第２サージ防護機器４１０の目的は、サージが発生した際、高圧容量１３０の電圧が高過ぎて損壊してしまうのを防止するためである。このため、コネクタ回路４００内に高圧容量１３０の耐圧レベルに応じて第２サージ防護機器４１０を設計した特徴は、高圧容量１３０がその耐電圧の臨界点に達するまでに第２サージ防護機器４１０を導通して保護することである。また、第１、第２サージ防護機器は、サージ抑制ユニット又は先端放電構造でよく、回路板に形成されて先端構造を備えた導電層であり、サージが発生した際に先端放電を行う。
【００３３】
（実施形態６）
図８は、本発明で開示された第６実施形態のコネクタ回路の概略図である。図８に示すように、それぞれ先端放電構造４２０、４３０で図７における第１サージ防護機器３１０及び第２サージ防護機器４１０を実現している。以上のように、先端放電構造は回路板の導電層で実現され、先端放電を発生させる電圧値は２つの先端構造の距離によって決定され、設計面で大きな自由度があるため、高圧容量１３０の耐電圧値に応じて、２つの先端構造の距離パラメータが決まり、最良化された設計が得られる。
【００３４】
（実施形態７）
図９は本発明で開示された第７実施形態のコネクタ回路５００の概略図である。コネクタ回路５００は第１コネクタ次回路５１０、第２コネクタ次回路５５０、第２サージ防護機器５７０、第３サージ防護機器５８０、及び高圧容量５６０からなる。第１コネクタ次回路５１０は第１シールドトランス、第１インピーダンス整合回路５１３、及び第１サージ防護機器５１４からなる。第１シールドトランスは第1端コイル５１１と第二端コイル５１２とを備え、第1端コイル５１１は第１センタタップ５１５、第１端点５１７、及び第２端点５１８を備え、第１インピーダンス整合回路５１３は第１センタタップ５１５と中継点５１６の間を電気的に接続し、第１サージ防護機器５１４は第１センタタップ５１５と中継点５１６の間を電気的に接続する。
【００３５】
図９に示すように、第２コネクタ次回路５５０は第２シールドトランス、第２インピーダンス整合回路５５３、及び第４サージ防護機器５５４からなり、第２シールドトランスは第３端コイル５５１と第４端コイル５５２とを備え、第３端コイル５５１は第２センタタップ５５５、第３端点５５７、及び第４端点５５８を備え、第２インピーダンス整合回路５５３は第２センタタップ５５５と中継点５１６との間を電気的に接続し、第４サージ防護機器５５４は第２センタタップ５５５と中継点５１６との間を電気的に接続する。また、第３サージ防護機器５８０は第１センタタップ５１５と第２センタタップ５５５との間を電気的に接続し、高圧容量５６０は中継点５１６と接地端５９０との間を電気的に接続し、第２サージ防護機器５７０は中継点５１６と接地端５９０との間を電気的に接続する。
【００３６】
さらに、第１端点５１７、第２端点５１８、第３端点５５７、及び第４端点５５８はコネクタと外部回路又は装置とを接続した入出力端点とされる。コネクタ回路５００で開示された構成は、図７で示されたコネクタ回路４００をコネクタ次回路とするのに相当し、複数セットのコネクタ次回路を組み合せて、コネクタ回路する。各コネクタ次回路の共用は図７における第２サージ防護機器４１０と高圧容量１３０とに相当する。また、隣接するコネクタ次回路のセンタタップの間を、サージ防護機器でカップリングし、図９における第３サージ防護機器５８０で示される。第３サージ防護機器５８０の目的は、カップリングされた２つのセンタタップの間にサージが存在する場合に放電経路を提供することである。例えば、第１端点５１７と第４端点５５８との間のように、異なるコネクタ次回路の入出力端点の間でサージが発生、或いは、装置が落雷に遭遇し、同時に各入出力端点でサージが存在するが、各コネクタ次回路に備えられた等価入力インピーダンスが異なるため、２つのセンタタップの間で、高電圧差の時が存在する。また、コネクタ回路５００内の各サージ防護機器はサージ抑制ユニット、又は先端放電構造でよく、回路板に形成され先端構造を備えた導電層であり、サージ状況が発生した際に先端放電を行う。
【００３７】
（実施形態８）
図１０は、本発明で開示された第８実施形態のコネクタ回路の概略図である。図１０に示すように、それぞれ先端放電構造６１４、６７０、６８０、６５４で図９における第１、第２、第３、及び第４サージ防護機器５１４、５７０、５８０、５５４とを実現している。前述したように、先端放電構造は回路板の導電層によって実現され、先端放電を発生させる電圧値は２つの先端構造の距離によって決定され、設計面で大きな自由度があるため、応用面でニーズに応じて、２つの先端構造の距離パラメータが決まり、最良化された設計が得られる。
【００３８】
（実施形態９）
図１１は本発明で開示された第９実施形態のコネクタ回路の概略図である。図１１に示すように、それぞれサージ抑制ユニット７１４、７５４で図９における第１と第４サージ防護機器５１４、５５４とを実現している。また、それぞれ先端放電構造６７０、６８０で図９における第２、第３サージ防護機器５７０、５８０を実現している。図１０の前実施形態との相違点は、サージ抑制ユニット７１４、７１５を利用して第１、第２インピーダンス整合回路５１３、５５３がサージ状況下での損害から免れるよう保護することである。第１、第２インピーダンス整合回路５１３、５５３はサージに対する耐性が低いため、サージ抑制ユニットで保護することで、コネクタ回路全体の耐久性が向上し、各部材のサージ保護に対する異なるニーズに応じて最良化された設計が施される。
【００３９】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００４０】
１００、２００、３００、４００、５００  …  コネクタ回路  
１１０  …  シールドトランス
１１１、５１１  …  第１端コイル  
１１２、５１２  …  第２端コイル  
１１３、５１７  …  第１端点
１１４、５１８  …  第２端点
１１５  …  センタタップ  
１２０  …  インピーダンス整合回路  
１３０、５６０  …  高圧容量  
１４０、５９０、６９０  …  接地端    
１５０、１６０、２５０、３２０  …  電流経路  
２１０、２２０、３３０、７１４、７５４  …  サージ抑制ユニット  
２３０  …  地面接地点  
２４０  …  接続回線の寄生性抵抗器  
３０１  …  中継点  
３１０、５１４  …  第１サージ防護機器  
３４０、４２０、４３０、６１４、６５４、６７０、６８０  …  先端放電構造  
４１０、５７０  …  第２サージ防護機器  
５１０  …  第１コネクタ次回路  
５１３  …  第１インピーダンス整合回路  
５１５  …  第１センタタップ  
５１６  …  中継点
５５５  …  第２センタタップ  
５５０  …  第２コネクタ次回路  
５５１  …  第３端コイル  
５５２  …  第４端コイル
５５３  …  第２インピーダンス整合回路  
５５４  …  第４サージ防護機器  
５５７  …  第３端点  
５５８  …  第４端点
５８０  …  第３サージ防護機器
【図１】
0005615406.tif 000002
【図２】
0005615406.tif 000003
【図３】
0005615406.tif 000004
【図４】
0005615406.tif 000005
【図５】
0005615406.tif 000006
【図６】
0005615406.tif 000007
【図７】
0005615406.tif 000008
【図８】
0005615406.tif 000009
【図９】
0005615406.tif 000010
【図１０】
0005615406.tif 000011
【図１１】
0005615406.tif 000012